(57)【要約】【課題】複数のワークコイルを設けた場合において、ワークコイル相互の磁界の干渉を防止しながら、可能な限り高出力が得られるようにした電気炊飯器を提供することを目的とする。【解決手段】３組以上の複数のワークコイルを備えてなる電磁誘導加熱式の電気炊飯器において、上記複数のワークコイルの各々を駆動制御するワークコイル駆動制御手段を設け、該ワークコイル駆動制御手段が、上記複数のワークコイルの内の相互に隣接するワークコイルを同時には駆動させないようにした。【選択図】        図６
2004313404.tif 000002
【特許請求の範囲】
【請求項１】
３組以上の複数のワークコイルを備えてなる電磁誘導加熱式の電気炊飯器において、上記複数のワークコイルの各々を駆動制御するワークコイル駆動制御手段を設け、該ワークコイル駆動制御手段が、上記複数のワークコイルの内の相互に隣接するワークコイルを同時には駆動させないように構成されていることを特徴とする電気炊飯器。
【請求項２】
複数のワークコイルは、それぞれ同一の被電磁誘導加熱物を電磁誘導加熱するようになっていることを特徴とする請求項１記載の電気炊飯器。
【請求項３】
複数のワークコイルは、その内の何れかのワークコイルが、異なる被電磁誘導加熱物を、電磁誘導加熱するようになっていることを特徴とする請求項１記載の電気炊飯器。
【請求項４】
被電磁誘導加熱物が、飯器と飯器の上部に設けられた蓋の放熱板であり、異なる被電磁誘導加熱物は上記蓋の放熱板であることを特徴とする請求項３記載の電気炊飯器。
【請求項５】
３組以上の複数のワークコイルを備えてなる電磁誘導加熱式の電気炊飯器において、上記複数のワークコイルの各々を駆動制御するワークコイル駆動制御手段を設け、該ワークコイル駆動制御手段が、上記複数のワークコイルの内の同一の被電磁誘導加熱物を電磁誘導加熱するワークコイルを同時には駆動させないが、異なる被電磁誘導加熱物を電磁誘導加熱するワークコイルは同時に駆動するように構成されていることを特徴とする電気炊飯器。
【請求項６】
同時に駆動されるワークコイルは、相互に出力の大きさが異なるものであることを特徴とする請求項１，２，３，４又は５記載の電気炊飯器。
【発明の詳細な説明】
【０００１】
【発明の属する技術分野】
本願発明は、複数のワークコイルを備えた電磁誘導加熱式の電気炊飯器の構成に関するものである。
【０００２】
【従来の技術】
従来、この種の電気炊飯器において、上記複数のワークコイル、例えば飯器底部側第１のワークコイルと飯器蓋部側第２のワークコイルなどを駆動するに際しては、そのデューティー比を決めるｎ／Ｔ（秒）のＴ秒（周期Ｔ秒は任意）のカウント最初のタイミングで第１，第２のワークコイル共にＯＮにし、メニューに応じて設定されたｎ秒の経過に対応してＯＦＦにするＯＮ，ＯＦＦ制御パターンが採用されていた。
【０００３】
ところが、このような構成の場合、同時に第１，第２の２組のワークコイルに通電され、しかも第２のワークコイルは、その全ＯＮ期間ｎの全てが第１のワークコイルのＯＮ期間ｎと重複したものとなる。そのため、両ワークコイル相互の磁界が干渉してうなりが高くなる一方、上記第１，第２の各ワークコイルの出力の設定に当たっては、一般家庭における１つのコンセントからの許容最大消費電力１４００（Ｗ）の範囲内で各ワークコイルの出力値を適切に分配して設定しなければならず、各ワークコイルそれぞれの出力を十分に大きくすることができなかった。
【０００４】
そこで、このような問題を解決するために、例えば上記のような複数のワークコイルの少なくともＯＮタイミングが重ならないように、常時ＯＮ，ＯＦＦ状態を切換えて個別に動作させるようにしたものがある（例えば特許文献１参照）。
【０００５】
この構成の場合、例えばワークコイルが第１，第２の２組の場合は図９のようなＯＮ，ＯＦＦパターンになり、第１，第２，第３の３組の場合には図１０のようなＯＮ，ＯＦＦパターンになる。
【０００６】
このような構成にすると、第１，第２又は第１，第２，第３の各ワークコイル相互のＯＮ期間が重ならないために、各ワークコイル相互の磁界の干渉による騒音を確実に防止できるとともに、一応各ワークコイル個々の出力値を許容最大電力１４００（Ｗ）まで大きくすることができる。
【０００７】
【特許文献１】
特開平８−１９６４１７号公報（第２頁〜第６頁、図１〜図６参照）
【０００８】
【発明が解決しようとする課題】
しかし、以上のように複数のワークコイル各々のＯＮタイミングが相互に重複しないように動作タイミングを完全に切り換えてＯＮ，ＯＦＦ制御する構成では、一定周期Ｔの中で何れかのワークコイルの加熱出力（上述のデューティー比：ｎ／Ｔ）を大きくしようとすると、その分だけ他方のワークコイルの加熱出力（デューティー比：ｎ／Ｔ）が小さくなり、各ワークコイル間の加熱出力のバランスを取ることが難しい。
【０００９】
特に、各ワークコイルの加熱出力を相乗させたトータルの加熱出力を増大させようとしても、それができないために、十分な加熱性能のものを実現できない欠点がある。この問題は、上記ワークコイルが２組の場合（図９）よりも３組の場合（図１０）と、ワークコイルの個数が増えるほど顕著になる。
【００１０】
本願発明は、このような問題を解決するためになされたもので、上述のように複数のワークコイルを設けた場合において、ワークコイル相互の磁界の干渉を可及的に防止しながら、可能な限り高出力を得られるようにした電気炊飯器を提供することを目的とするものである。
【００１１】
【課題を解決するための手段】
本願発明は、同目的を達成するために、次のような課題解決手段を備えて構成されている。
【００１２】
（１）  第１の課題解決手段
この発明の第１の課題解決手段は、３組以上の複数のワークコイルを備えてなる電磁誘導加熱式の電気炊飯器において、上記複数のワークコイルの各々を駆動制御するワークコイル駆動制御手段を設け、該ワークコイル駆動制御手段が、上記複数のワークコイルの内の相互に隣接するワークコイルを同時には駆動させないように構成したことを特徴としている。
【００１３】
このような構成によると、少なくとも相互に隣接しないワークコイル同士は同時に駆動することができ、該同時に駆動される複数のワークコイルの合計の加熱出力が定格出力の範囲内になるように出力制御することにより、炊き上げ時の昇温工程等における高加熱出力要求にも対応することが可能となる。
【００１４】
一方、該同時に駆動される相互に隣接しない複数のワークコイル同士は、それらの距離が空間的に離れているために、個々のワークコイルで発生した磁界が相互に干渉しにくく、干渉音（うなり）が発生しにくい。
【００１５】
（２）  第２の課題解決手段
この発明の第２の課題解決手段は、上記第１の課題解決手段の構成において、複数のワークコイルは、それぞれ同一の被電磁誘導加熱物を電磁誘導加熱するようになっていることを特徴としている。
【００１６】
同時に駆動されるワークコイルが、それぞれ異なる被電磁誘導加熱物を電磁誘導加熱するようになっている場合には、発生する磁界の振動対象物（振動特性）が異なり、干渉音が発生しにくい。
【００１７】
したがって、騒音低減上において特に問題にすべきは、複数のワークコイルが、それぞれ同一の被電磁誘導加熱物を電磁誘導加熱するようになっている場合であり、該場合において、上記第１の課題解決手段の構成が特に有効となる。
【００１８】
（３）  第３の課題解決手段
この発明の第３の課題解決手段は、上記第１又は第２の課題解決手段の構成において、複数のワークコイルは、その内の何れかのワークコイルが、異なる被電磁誘導加熱物を電磁誘導加熱するようになっていることを特徴としている。
【００１９】
もちろん、上記のごとく同時に駆動されるワークコイルが、それぞれ異なる被電磁誘導加熱物を電磁誘導加熱するようになっている場合には、発生する磁界の振動対象物（振動特性）が異なり、干渉音が発生しにくいとは言っても、干渉音が発生しないわけではない。
【００２０】
したがって、同場合においても、上記第１の課題解決手段の構成は、有益に作用する。
【００２１】
（４）  第４の課題解決手段
この発明の第４の課題解決手段は、上記第３の課題解決手段の構成において、被電磁誘導加熱物が、飯器と飯器の上部に設けられた蓋の放熱板であり、異なる被電磁誘導加熱物は上記蓋の放熱板であることを特徴としている。
【００２２】
上記複数のワークコイル内の何れかのワークコイルが、異なる被電磁誘導加熱物を電磁誘導加熱するようになっている例として、種々のケースが考えられるが、例えば各ワークコイルによる被電磁誘導加熱物が飯器と飯器の上部に設けられた蓋の放熱板との２種であり、上記何れかのワークコイルによって電磁誘導加熱される異なる被電磁誘導加熱物が上記蓋の放熱板である場合が、その代表例として考えられる。
【００２３】
（５）  第５の課題解決手段
この発明の第５の課題解決手段は、３組以上の複数のワークコイルを備えてなる電磁誘導加熱式の電気炊飯器において、上記複数のワークコイルの各々を駆動制御するワークコイル駆動制御手段を設け、該ワークコイル駆動制御手段が、上記複数のワークコイルの内の同一の被電磁誘導加熱物を電磁誘導加熱するワークコイルを同時には駆動させないが、異なる被電磁誘導加熱物を電磁誘導加熱するワークコイルは同時に駆動するように構成されていることを特徴としている。
【００２４】
このような構成によると、少なくとも相互に被電磁誘導加熱物を異にするワークコイル同士は同時に駆動することができ、該同時に駆動される複数のワークコイルの合計の加熱出力が定格出力の範囲内になるように出力制御することにより、炊き上げ時の昇温工程等における高加熱出力要求にも対応することが可能となる。
【００２５】
そして、その場合において、上記同時に駆動されるワークコイルが、それぞれ異なる被電磁誘導加熱物を電磁誘導加熱するようになっている場合には、発生する磁界の振動対象物（振動特性）が異なり、干渉音が発生しにくい。
【００２６】
（６）  第６の課題解決手段
この発明の第６の課題解決手段は、上記第１，第２，第３，第４又は第５の課題解決手段の構成において、同時に駆動されるワークコイルは、相互に出力の大きさが異なるものであることを特徴としている。
【００２７】
先にも述べたように、複数のワークコイルを同時に駆動する場合、それら各ワークコイルの合計の加熱出力は所定の定格出力以内に設定しなければならない。
【００２８】
一方、ワークコイルを加熱手段として採用した場合、最低限所定の大きさの出力がないと電磁誘導加熱手段として有効に機能しない。
【００２９】
したがって、上述のような合計の加熱出力の定格出力以内への調整は、複数のワークコイルの出力を大小異なるものとし、出力の小さいワークコイルの方の出力を先ず所定の必要な大きさに設定し、出力の大きいワークコイルの出力の方を小さくすることにより調整する。
【００３０】
【発明の効果】
以上の結果、本願発明の電気炊飯器によると、複数のワークコイルの中の相互に隣接するか、または被加熱物を共通にするワークコイルを相互に重ならないように駆動することによって、可及的に磁界の干渉を低減する一方、相互に隣接しないか、または被加熱物を異にするワークコイルを重ねて駆動することによって、それら各場合のワークコイルの合計出力をそれぞれ高加熱出力に対応させ、有効な高加熱出力を得るようにすることができるようになる。
【００３１】
【発明の実施の形態】
（実施の形態１）
図１〜図７は、複数のワークコイルを備えた本願発明の実施の形態１に係る電磁誘導加熱式の電気炊飯器の構成を示している。
【００３２】
（炊飯器本体および蓋ユニット部分の構成）
先ず図１〜図４は、同電気炊飯器の炊飯器本体および蓋ユニット部分の構成を示している。
【００３３】
同電気炊飯器は、その基本的な構成として、飯器が収納された炊飯器本体と該炊飯器本体の上部を覆う蓋ユニットとからなり、該炊飯器本体内の飯器（内鍋）底部に同飯器の下部側を電磁誘導加熱する第１のワークコイル、飯器側部に同飯器の側部を電磁誘導加熱する第２のワークコイル、また蓋ユニットの内側に２次側被誘導加熱部材として、上記飯器（内鍋）内への放熱性能の高い磁性金属材料よりなる放熱板をそれぞれ備えているとともに、さらに上記炊飯器本体の肩部に、同放熱板を電磁誘導加熱する第３のワークコイルを備えた電磁誘導加熱式のものにより構成されている。
【００３４】
すなわち、該電気炊飯器は、先ず図１〜図３に示すように、全体として、内部に誘起されるうず電流によって自己発熱が可能なステンレス鋼材等の磁性金属材料（鉄系金属材料）よりなる飯器（内鍋）１と、該飯器１を任意に収納セットし得るように有底筒状に形成された合成樹脂製の内ケース（保護枠）２と、該内ケース２を保持する外装筺体である筒状の外ケース３と、該外ケース３と上記内ケース２とを結合一体化して上部が開口した有底筒状体に形成された炊飯器本体４の上部に開口部を覆って開閉可能に設けられた蓋ユニット５とから構成されている。
【００３５】
上記内ケース２の底壁部２ａには、図３に示すように、例えば半径方向の内側と外側に位置を異にして同心状に分巻された飯器加熱用の第１のワークコイルＬ１が設けられており、該第１のワークコイルＬ１は上記内ケース２内に収納された飯器１の底部１ｂの中央面側と側面側を均一に加熱することによって全体を加熱し、効率良く炊飯を行うようになっている。また、同内ケース２の側壁部２ａには第２のワークコイルＬ２が設けられるようになっており、該第２のワークコイルＬ２は、炊飯時および保温時において上記飯器１の側面部１ａを加熱するようになっている。
【００３６】
また上記外ケース３は、例えば合成樹脂板で形成された上下方向に筒状のカバー部材（側板）３ａと、該カバー部材３ａの上端部に設けられた合成樹脂製の肩部材３ｂと、上記カバー部材３ａの底部に設けられた底部材３ｃとからなっている。そして、上記内ケース２の上端側にあって外周方向に鉤上に曲成された肩部材支持片２ｂの上部に対し、上記肩部材３ｂの内周側鉤状の肩片７を係合支持して一体化し、それらの上部に、２次側被電磁誘導加熱部材である放熱板１０を電磁誘導加熱するための１次側電磁誘導加熱手段である第３のワークコイルＬ３が設けられている。
【００３７】
該第３のワークコイルＬ３は、内周側に上方に起立した係合リブ８ａを有した断面Ｌ字形のコイルホルダー８の水平方向内周側から外周側にリッツ線が複数回巻成されたフラットリング構造のものとなっており、その上部および両側部は、断面逆Ｊの字形状の合成樹脂製のコイルカバー９によってカバーされ、上記内ケース２の上端部および外ケース３の肩部材３ｂとともに一体化されて、上記炊飯器本体４の開口縁部を構成している。
【００３８】
そして、このように第３のワークコイルＬ３を備えた炊飯器本体４の開口縁部に対し、上記開口部１ｂが縮径された飯器１の開口縁部が、その収納セット状態において、図示のような電磁誘導加熱可能な位置関係で対応するようになっている。
【００３９】
一方、蓋ユニット５の非磁性部材である蓋ユニット本体部分は、その外周面を構成する合成樹脂製の外カバー５Ａと、該外カバー５Ａ内側の周方向に凸条の内枠部に対して固定して設けられた合成樹脂製の内カバー５Ｂとから、内部空間５Ｃが中空の断熱構造体に形成されている。
【００４０】
そして、該蓋ユニット本体の上記内カバー５Ｂの下方には、電磁誘導加熱可能な磁性金属材料よりなる放熱板１０が着脱可能に設けられている。また、同蓋ユニット本体を構成する上記外カバー５Ａおよび内カバー５Ｂの中央部には、上下両方向に貫通して調圧口１１が形成され、該調圧口１１に対して図示のようなキャップ構造の大径の調圧ユニット１２が上方側から着脱可能に嵌合されている。また、上記調圧口１１の下部には、上記放熱板１０取付け用の筒部１３が設けられていて、該筒部１３内に上記放熱板１０の中央に設けた相対的に小径の嵌合用筒部１４を相互の間に設けた凸凹部を介して嵌合係止することにより、上記放熱板１０自体が着脱可能な状態で取り付けられている。
【００４１】
一方、上記外カバー５Ａの内枠部と上記内カバー５Ｂとの外周側固定部には、第１のパッキン１５ａの基部が固定されており、上記放熱板１０は、その外周側上面（シール部１０ｂ上面）を同第１のパッキン１５ａによってシールされるようになっている。
【００４２】
該蓋ユニット５の構成において、上記放熱板１０は、上記飯器１の縮径された開口部１ｃの口径に対応して若干下方側に突出した放熱部１０ａと、同放熱部１０ａの外周側にあって第２のパッキン１５ｂを介して上記飯器１の開口部１ａの上端を覆う断面逆Ｕ字状のシール部１０ｂと、該シール部１０ｂの外周側にあって上記炊飯器本体４開口縁部の第３のワークコイルＬ３と所定の隙間Ｇを介して対向対面する被電磁誘導加熱部１０ｃとから形成されている。
【００４３】
そして、例えば後述する図５の第３のワークコイル駆動回路により上記第３のワークコイルＬ３が駆動されると、それに対応して上記放熱板１０外周の被電磁誘導加熱部１０ｃが電磁誘導加熱されて発熱し、その熱を上記シール部１０ｂを介して上記放熱部１０ａに伝え、上記放熱部１０ａの全面から飯器１内の飯米に放射する。
【００４４】
他方、上記外カバー５Ａは、その内枠部外周の外周縁部が外径を拡大しながら上記肩部材３ｂの外周面に連続するまで下方に深く延びており、上記第３のワークコイルＬ３部分の外周面を確実にカバーし、上記誘導加熱領域で生じる熱を外部に逃がさないようにしている。
【００４５】
なお、上記炊飯器本体４の前面部上方には、例えば図１に示すような略半月形状の操作パネル部１７が設けられている。該操作パネル部１７には、十分に広く大きな表示面積をもつ液晶表示部１９と、炊飯スイッチ１７ａ、タイマー予約スイッチ１７ｂ、取消スイッチ１７ｃ、保温／再加熱スイッチ１７ｄ、おこげスイッチ１７ｅ、メニュー操作スイッチ１７ｆ、時スイッチ１７ｇ、分スイッチ１７ｈ等の各種操作スイッチ（タッチキースイッチのタッチキー部分）が設けられている。
【００４６】
（炊飯器本体側制御回路部分の構成）
次に、図５は上述のように構成された炊飯器本体側の炊飯および保温制御用のマイコン制御ユニットを中心とする電気的な制御回路部分の構成を示す。
【００４７】
図中、符号３２が炊飯加熱制御手段、保温加熱制御手段、内鍋温度判定手段、内鍋検知手段、ブザー報知手段等を備えた炊飯・保温制御用のマイコン制御ユニット（ＣＰＵ）であり、該マイコン制御ユニット３２はマイクロコンピュータを中心として構成され、例えば飯器１の温度検知回路部、第１，第２，第３のワークコイル駆動制御回路部、飯器１の有無検知回路部、発振回路部、リセット回路部、保温ヒータ駆動制御回路部、ブザー報知部、電源回路部等を各々有して構成されている。
【００４８】
そして、先ず上記飯器（内鍋）１の底壁部１ｂ側センタセンサ部の飯器温度検知センサＳに対応して設けられた温度検知回路４３には、例えば上記飯器温度検知センサＳによる飯器１の底壁部３ａの温度検知信号がそれぞれ入力されるようになっている。
【００４９】
また、上記第１，第２，第３のワークコイル駆動制御回路部は、それぞれ例えば第１，第２，第３のパルス発振回路４１Ａ，４１Ｂ，４１Ｃ、第１，第２，第３の同期トリガー回路４０Ａ，４０Ｂ，４０Ｃ、第１，第２，第３のＩＧＢＴ駆動回路４２Ａ，４２Ｂ，４２Ｃ、第１，第２，第３のＩＧＢＴ３７Ａ，３７Ｂ，３７Ｃ、第１，第２，第３のフィードバック回路３４Ａ，３４Ｂ，３４Ｃ、第１，第２，第３の共振コンデンサ３８Ａ，３８Ｂ，３８Ｃ等によって形成されている。そして、上記マイコン制御ユニット３２の第１，第２，第３のワークコイル駆動制御回路部により、上記第１，第２，第３のパルス発振回路４１Ａ，４１Ｂ，４１Ｃを制御することにより、例えば炊飯（または保温）工程に応じて上記第１，第２，第３のワークコイルＬ１，Ｌ２，Ｌ３のワット数および同ワット数でのＯＮデューティー比（例えばｎ秒／１６秒）をそれぞれ適切に変えることによって、炊飯（または保温）工程の各工程における飯器１の加熱温度と加熱パターンを炊飯（保温）量を考慮して適切に可変コントロールし、均一な吸水作用と加熱ムラのない御飯の炊き上げ、保温を実現するための適切な加熱出力制御が行われるようになっている。
【００５０】
そして、本実施の形態では、それらの場合において、上記第１，第２，第３のワークコイルＬ１，Ｌ２，Ｌ３相互のＯＮ，ＯＦＦパターンは、例えば図７のタイムチャートに示すように炊飯（保温）工程の各工程に対して、その要求加熱量に適した第１，第２，第３のワークコイルＬ１，Ｌ２，Ｌ３のＯＮ，ＯＦＦパターンを適切に設定対応させるようにしている。
【００５１】
該第１，第２，第３のワークコイルＬ１，Ｌ２，Ｌ３のＯＮ，ＯＦＦパターンは、例えば後に述べる図６のフローチャートのようにして、設定制御されるようになっている。
【００５２】
また、符号２２ａ〜２２ｈは上述した各種入力スイッチ部であり、同スイッチの必要なものが適切に操作されると、上記マイコン制御ユニット３２側の認識手段によってユーザーの指示内容が認識され、その認識内容に応じて上述のような所望の炊飯又は保温加熱パターンを設定し、上記炊飯加熱制御手段又は保温加熱制御手段を適切に作動させて、所望の炊飯又は保温を行う。
【００５３】
したがって、ユーザーは、同入力スイッチ２２ａ〜２２ｈを使用して炊飯又は保温、タイマー予約、予約時刻設定、白米又は玄米、早炊き、おかゆ、かため又はやわらかめ、すしめし、炊き込み等の炊き分け、蒸し、通常保温又は低温保温等の各種の炊飯又は蒸し、保温機能の選択設定内容を入力すれば、それに対応した機能内容が当該マイコン制御ユニット３２の上述した認識手段を介して炊飯又は蒸し、保温加熱パターン設定部に自動的に設定入力され、対応する炊飯又は蒸し、保温加熱制御が適切になされる。
【００５４】
さらに、符号１７は炊飯の完了その他を知らせるブザー報知部、２１は液晶表示部である。そして、この実施の形態の場合、上記液晶表示部２１には、上記入力スイッチ２２ａ〜２２ｈのＯＮ操作に対応して所望のメニューや時刻等の必要事項が表示され、以後設定内容に応じた必要な表示（枠囲み等）がなされて行くようになっている。
【００５５】
なお、図５中の３１は電源回路、３３はゼロクロス信号回路、３５は整流回路、３６は平滑コンデンサ、ＣＬはチョークコイルである。
【００５６】
（第１〜第３のワークコイルの出力制御方法）
次に図６は、この実施の形態における上記電気炊飯器の各ワークコイル出力の制御方法について示している。
【００５７】
該制御では、先ず最初にステップＳ１で、第１〜第３の各ワークコイルＬ１〜Ｌ３の出力時間（図７に示す１周期Ｔ中のＯＮ時間：加熱時間）をそれぞれ設定する（Ｌ１＞Ｌ２＝Ｌ３）。
【００５８】
そして、その後ステップＳ２で、先ず飯器底部側第１のワークコイルＬ１を駆動する。そして、それによって同第１のワークコイルＬ１の出力による加熱制御を実行する。
【００５９】
次にステップＳ３で、第１のワークコイルＬ１とは隣接しない本体肩部側第３のワークコイルＬ３の設定加熱時間が経過しているか否かを判定し、ＮＯの時はステップＳ４に進んで同第３のワークコイルＬ３を駆動する。
【００６０】
この結果、図７のタイムチャートに示されるように、飯器１の下部と上部に離れ、相互に隣接しない第１のワークコイルＬ１と第３のワークコイルＬ３とが同時に駆動されることになる（少なくとも第３のワークコイルＬ３の加熱時間内）。
【００６１】
他方、ＹＥＳの上記第３のワークコイルＬ３の設定加熱時間が経過したＹＥＳの時は、ステップＳ５に進んで、上記第３のワークコイルＬ３をＯＦＦにする。
【００６２】
続いてステップＳ６に進み、上記第１のワークコイルＬ１の設定加熱時間が経過したか否かを判定し、ＮＯの時は上記第１，第３のワークコイルＬ１，Ｌ３の同時駆動又は第３のワークコイルＬ３ＯＦＦ後の第１のワークコイルＬ１のみの駆動をＹＥＳとなるまで続けるが、一方ＹＥＳになると、第１のワークコイルＬ１の駆動を停止して、次にステップＳ８で第２のワークコイルＬ２のみを駆動する。該第２のワークコイルＬ２の駆動状態は、続くステップＳ９で当該第２のワークコイルＬ２の設定加熱時間が経過したと判定されるまで継続される。
【００６３】
この結果、図７のタイムチャートからも明らかなように、第１，第２のワークコイルＬ１，Ｌ２の何れとも隣接する飯器側壁部中間位置の第２のワークコイルＬ２の場合には、常に第２のワークコイルＬ２のみが単独で駆動されることになる。
【００６４】
次にステップＳ９で、上記第２のワークコイルＬ２の設定加熱時間が経過したことが判定されると、続くステップＳ１０で同第２のワークコイルＬ２をＯＦＦにする。
【００６５】
そして、次の周期で、再び以上と同様の第１〜第３のワークコイルＬ１〜Ｌ３の駆動制御（ステップＳ１〜Ｓ１０）が繰り返され（図７参照）、所定の時間（Ｎ×Ｔ・・・Ｎは制御回数）が経過すると、当該炊飯工程中の所定の工程における所定の目標飯器温度に到達する加熱制御が実現される。
【００６６】
以上のように、この実施の形態では、上述のような、相互に隣合う３組以上の複数のワークコイルＬ１，Ｌ２，Ｌ３を備えてなる電磁誘導加熱式の電気炊飯器において、上記複数のワークコイルＬ１，Ｌ２，Ｌ３の各々を駆動制御するワークコイル駆動制御手段を設け、該ワークコイル駆動制御手段が、上記複数のワークコイルＬ１，Ｌ２，Ｌ３の内の相互に隣接するワークコイルＬ１とＬ２、Ｌ２とＬ３を同時には駆動させないように構成したことを特徴としている。
【００６７】
このような構成によると、他方相互に隣接しないワークコイルＬ１とＬ３同士は同時に駆動することができ、該同時に駆動される複数のワークコイルＬ１，Ｌ３の合計の加熱出力が１つのコンセントの最大定格出力１４００（Ｗ）の範囲内になるように出力制御することにより、炊き上げ時の昇温工程等における高加熱出力要求にも対応することが可能となる。
【００６８】
一方、該同時に駆動される相互に隣接しない複数のワークコイル同士Ｌ１，Ｌ３は、それらの距離が飯器１の下部と上部に空間的に大きく離れているために、個々のワークコイルＬ１，Ｌ３で発生した磁界が相互に干渉しにくく、干渉音（うなり）が発生しにくい。
【００６９】
なお、上記の構成において、複数のワークコイルＬ１，Ｌ２は、それぞれ同一の被電磁誘導加熱物である飯器１を、電磁誘導加熱するようになっている。
【００７０】
一方、これに対し、同時に駆動される複数のワークコイルＬ１とＬ３の場合には、上記飯器１と放熱板５のように、それぞれ異なる被電磁誘導加熱物を電磁誘導加熱するようになっている。したがって、該場合には、発生する磁界の振動対象物（振動特性）が異なり、干渉音が発生しにくい。
【００７１】
したがって、騒音低減上で問題にすべきは、上記複数のワークコイルが、それぞれ同一の被電磁誘導加熱物を電磁誘導加熱するようになっているＬ１，Ｌ２の場合であり、該場合においては、上記のように同時駆動しない構成が特に有効となる。
【００７２】
このような観点から見て、上記の構成では上記同時に駆動されるワークコイルＬ１，Ｌ３は、飯器１と放熱板５という異なる被電磁誘導加熱物を電磁誘導加熱するようになっている。
【００７３】
したがって、同時に駆動されても、発生する磁界の振動対象物（振動特性）が異なり、干渉音が発生しにくい。
【００７４】
したがって、この意味からもも、上記構成は、騒音の低減に有益に作用する。
【００７５】
さらに以上の構成では、上記同時に駆動されるワークコイルＬ１とＬ３は、相互に出力の大きさが異なるものとなっている（Ｌ１＞Ｌ３）。
【００７６】
先にも述べたように、複数のワークコイルＬ１，Ｌ３を同時に駆動する場合、それら各ワークコイルＬ１，Ｌ３の合計の加熱出力は所定の定格出力１４００（Ｗ）以内に設定しなければならない。
【００７７】
一方、ワークコイルＬ１，Ｌ３の各々を加熱手段として採用した場合、それぞれ最低限所定の大きさの出力がないと電磁誘導加熱手段として有効に機能しない。
【００７８】
したがって、上述のような合計の加熱出力の定格出力１４００（Ｗ）以内への調整は、当該複数のワークコイルＬ１，Ｌ３の出力を大小異なるものとし（Ｌ１＞Ｌ３）、出力の小さいワークコイルＬ３の方の出力を先ず所定の必要な大きさに設定し、その上で出力の大きいワークコイルＬ１の出力の方を小さくすることにより調整するようにする。
【００７９】
以上の結果、この実施の形態の電気炊飯器によると、複数のワークコイルの中の相互に隣接するワークコイルを相互に重ならないように駆動することによって可及的に磁界の干渉を低減し、一方相互に隣接せず、また被電磁誘導加熱物を異にするワークコイル同士を重ねて駆動することによって、それらの合計出力を高加熱出力に対応させるようにしている。したがって、騒音を低減しながら、有効な高加熱出力を得ることができるようになる。
【００８０】
（実施の形態２）
なお、上述のように同時に駆動されるワークコイルが、それぞれ異なる被電磁誘導加熱物を電磁誘導加熱するようになっている場合には、発生する磁界の振動対象物（振動特性）が異なり、干渉音が発生しにくいとは言っても、全く干渉音が発生しないわけではない。
【００８１】
したがって、そのような同場合においても、少なくとも、それらワークコイルが隣接する場合には、同時に駆動しないようにすることが好ましい。
【００８２】
（実施の形態３）
次に、図８は、本願発明の実施の形態３に係る電磁誘導加熱式電気炊飯器の構成を示している。
【００８３】
上記実施の形態１の構成では、上記第１，第２，第３のワークコイルＬ１，Ｌ２，Ｌ３の内の第３のワークコイルＬ３を本体肩部において、蓋ユニット５側放熱板１０のの被電磁誘導加熱物１０ｃに対応するものとしたが、この実施の形態では、同第３のワークコイルＬ３を飯器１の縮径した開口部１ｃに対応する縦型に配置した構造のものとし、しかも飯器１の開口部１ｃと当該第３のワークコイルＬ３との間に電磁誘導加熱可能な磁性金属材料よりなる断面コ字状の間接加熱部材６をリング状に設けた構成としている。
【００８４】
このような構成を採用した場合、当該第３のワークコイルＬ３が、上記実施の形態１の場合とは異なり、上記間接加熱部材６と放熱板１０の被電磁誘導加熱物１０ｃとの両方を電磁誘導加熱することになる。
【００８５】
したがって、この場合にも、当該第３のワークコイルＬ３は、やはり飯器１を電磁誘導加熱する第１，第２のワークコイルＬ１，Ｌ２とは被電磁誘導加熱物を異にすることになる。
【００８６】
その結果、第１のワークコイルＬ１と第３のワークコイルＬ３とは、上記実施の形態２の場合と同様に同時駆動することが可能となる。
【図面の簡単な説明】
【図１】本願発明の実施の形態１に係る電気炊飯器の炊飯器本体部分全体の構成を示す一部切欠正面図である。
【図２】同電気炊飯器の炊飯器本体上部の第２，第３のワークコイル設置部分の拡大断面図である。
【図３】同電気炊飯器の炊飯器本体下部の第１のワークコイル設置部分の拡大断面図である。
【図４】同電気炊飯器の基本構成の概略を示すスケルトン図である。
【図５】同電気炊飯器の要部である第１，第２，第３のワークコイル駆動制御回路部分の電気回路図である。
【図６】同電気炊飯器の通常炊飯時における第１〜第３のワークコイルの基本的な制御動作を示すフローチャートである。
【図７】同電気炊飯器の炊飯工程における第１，第２，第３のワークコイルのＯＮ，ＯＦＦパターンを示すタイムチャートである。
【図８】本願発明の実施の形態２に係る電気炊飯器の炊飯器本体部分の基本構成の概略を示すスケルトン図である。
【図９】従来の電気炊飯器の加熱工程における第１，第２のワークコイルのＯＮ，ＯＦＦパターンを示すタイムチャートである。
【図１０】従来の電気炊飯器の加熱工程における第１，第２，第３のワークコイルのＯＮ，ＯＦＦパターンを示すタイムチャートである。
【符号の説明】
１は飯器、２は内ケース、３は外ケース、３ａはカバー部材、３ｂは肩部材、４は炊飯器本体、５は蓋ユニット、１０は放熱板、３２はマイコン制御ユニット、３７Ａは第１のＩＧＢＴ、３７Ｂは第２のＩＧＢＴ、３８Ａは第１の共振コンデンサ、３８Ｂは第２の共振コンデンサ、３０はブザー、Ｌ１は第１のワークコイル、Ｌ２は第２のワークコイル。Ｌ３は第３のワークコイルである。
【図１】
2004313404.tif 000003
【図２】
2004313404.tif 000004
【図３】
2004313404.tif 000005
【図４】
2004313404.tif 000006
【図５】
2004313404.tif 000007
【図６】
2004313404.tif 000008
【図７】
2004313404.tif 000009
【図８】
2004313404.tif 000010
【図９】
2004313404.tif 000011
【図１０】
2004313404.tif 000012